(57)【要約】【課題】サイディングの保持を確実にして安定化を図るとともに、取り付けも簡単に行なうことができるようにして作業効率の向上を図る。【解決手段】一側縁部１，他側縁部２，一端部３，他端部４とを備えたサイディングＳに設けられ、一側縁部１と他側縁部２とを交互に係合させてサイディングＳを連設して壁Ｋに取り付けるものにおいて、一端部３の裏面に取り付けられる一方金具１０及び他端部４の裏面に取り付けられる他方金具２０を備え、一方金具１０及び他方金具２０の一端に壁Ｋに取り付けられる取付片１４，２４と、その他端に設けられ表凸条８に対峙し表凸条８と共同して隣接するサイディングＳの裏凸条６を挾持する挾持片１５，２５とを備え、他方金具２０の外側縁に突設され他方金具２０が設けられた他端部４と隣接するサイディングＳの一端部３との間に充填される目地を受ける目地受突片２８を設けた。【選択図】  図１
2004332394.tif 000002
【特許請求の範囲】
【請求項１】
矩形板状に形成され、互いに平行な２辺を形成する一側縁部，他側縁部及び互いに平行な他の２辺を形成する一端部，他端部を備えるとともに、上記一側縁部にその表面を切り欠いて形成される表凹条及び裏凸条を有する一方、上記他側縁部にその裏面を切り欠いて形成される上記表凹条及び裏凸条が係合する形状の裏凹条及び表凸条を有したサイディングに設けられ、隣接するサイディングの一側縁部と他側縁部とを交互に係合させてサイディングを連設して壁に取り付けるためのサイディング用取付金具装置において、
上記一端部の裏面に取り付けられる一方金具及び上記他端部の裏面に取り付けられる他方金具を備え、
該一方金具及び他方金具を、夫々、上記一側縁部側の一端に形成され壁に取り付けられる取付片と、上記他側縁部側の他端に設けられ上記表凸条に対峙し該表凸条と共同して隣接するサイディングの裏凸条を挾持する挾持片とを備えて構成し、
上記他方金具に、その外側縁に突設され該他方金具が設けられた他端部と隣接するサイディングの一端部との間に充填される目地を受ける目地受突片を設けたことを特徴とするサイディング用取付金具装置。
【請求項２】
上記一方金具を、サイディングの裏面に接合する接合板部及び該接合板部の両端縁から立ち上がる立ち上がり板部を有した断面チャンネル状に形成する一方、
上記他方金具をサイディングの裏面に接合する接合板部及び上記の目地受突片を備えて構成し、該接合板部と目地受突片との間に段部を形成したことを特徴とする請求項１記載のサイディング用取付金具装置。
【請求項３】
上記一方金具及び他方金具の接合板部に該接合板部をサイディングに止着するためのビスが挿通される複数の止着孔を形成したことを特徴とする請求項２記載のサイディング用取付金具装置。
【請求項４】
上記一方金具及び他方金具の取付片を、上記サイディングの裏面より所定間隔離間して形成したことを特徴とする請求項１，２または３記載のサイディング用取付金具装置。
【請求項５】
上記一方金具及び他方金具の取付片を、上記一側縁部よりも裏面方向外側に突出させたことを特徴とする請求項１，２，３または４記載のサイディング用取付金具装置。
【請求項６】
上記一方金具及び他方金具の取付片に、該取付片を壁に取り付けるためのビスが挿通される複数の取付穴を形成したことを特徴とする請求項１，２，３，４または５記載のサイディング用取付金具装置。
【請求項７】
上記一方金具及び他方金具の挾持片に、該挾持片を上記サイディングの裏面より所定間隔離間させて支持する支持片を形成したことを特徴とする請求項４記載のサイディング用取付金具装置。
【請求項８】
壁の下端部に設けられ、サイディングを支承する支承金具を設けたことを特徴とする請求項１，２，３，４，５，６または７記載のサイディング用取付金具装置。
【請求項９】
上記支承金具を、サイディングに取り付けられる外側金具と、壁に取り付けられ外側金具を受ける内側金具とを備えて構成したことを特徴とする請求項８記載のサイディング用取付金具装置。
【請求項１０】
上記外側金具に上記内側金具側に突設される差込部を形成し、上記内側金具の下端に上記外側金具の差込部が嵌合して差込まれる断面略Ｕ字状の受部を形成し、上記差込部を上記受部に差し込んでサイディングを支承することを特徴とする請求項９記載のサイディング用取付金具装置。
【請求項１１】
壁の上端部に設けられ、サイディングを吊下保持する吊下保持金具を設けたことを特徴とする請求項１，２，３，４，５，６，７，８，９または１０記載のサイディング用取付金具装置。
【請求項１２】
上記吊下保持金具を、サイディングに取り付けられる外部金具と、壁に取り付けられ外部金具を受ける内部金具とを備えて構成したことを特徴とする請求項１１記載のサイディング用取付金具装置。
【請求項１３】
上記外部金具の上端に断面コ字状のフック部を折曲形成し、上記内側金具に上記フック部が係止される係止部を形成し、上記フック部を上記係止部に係止してサイディングを吊下保持することを特徴とする請求項１２記載のサイディング用取付金具装置。
【発明の詳細な説明】
【０００１】
【発明の属する技術分野】
本発明は、住宅などの建物の壁にサイディングを取り付けるためのサイディング用取付金具装置に関する。
【０００２】
【従来の技術】
一般に、建物の壁に取り付けられるサイディングＳは、図１１に示すように、矩形板状に形成され、互いに平行な２辺を形成する一側縁部１，他側縁部２及び互いに平行な他の２辺を形成する一端部４，他端部５を備えるとともに、一側縁部１にその表面を切り欠いて形成される表凹条５及び裏凸条６を有し、他側縁部２にその裏面を切り欠いて形成される上記表凹条５及び裏凸条６が係合する形状の裏凹条７及び表凸条８を有して構成されている。そして、このようなサイディングＳは、サイディング用取付金具装置を用いて、隣接するサイディングの一側縁部１と他側縁部２とを交互に係合させて連設して壁に取り付けられる。
【０００３】
従来、この種のサイディング用取付金具装置としては、例えば、特許文献１（特開平１０−２０８８号公報）に掲載された胴縁金具を複数用いるものが知られている。
図１２に示すように、このサイディング用取付金具装置Ｄａにおいて、胴縁金具１００は、断面チャンネル状に形成され、長さ方向の所定位置にそれぞれ所定の間隔でサイディングを引っ掛けて取り付けるためのサイディング引っ掛け部分１０１と、内側へ折り曲げられて胴縁金具１００自身を壁パネルに対しビスを介してビス止めする取り付け部分１０２とが一体に形成されている。また、胴縁金具１００は、全てその下端が壁Ｋの基準位置に位置決めされて取り付けられる。
【０００４】
サイディング引っ掛け部分１０１は、胴縁金具１００の長さ方向に所定の間隔で、その一部を切り起こして水平に前方へ折り曲げた折り曲げ部１０３を設け、この折り曲げ部１０３の先端中央部を上方へ折り曲げて上向きのサイディング保持用爪１０４を形成すると共に、その先端両側部を切り込みによる脆弱部１０５を設けて下方へ折り曲げ可能となし、同部を脆弱部１０５から下方へ折り曲げることにより下向きのサイディング保持用爪１０６を形成できるようにして、胴縁金具１００に一体形成されている。
【０００５】
そして、この胴縁金具１００にサイディングＳを取り付けるときは、図１３に示すように、下段側サイディングＳの裏凸条６を、胴縁金具１００のサイディング引っ掛け部分１０１の下向きのサイディング保持用爪１０６を脆弱部１０５から下方へ折り曲げて仮止めすることによって、その倒れ込みを防止した上で、上向きのサイディング保持用爪１０４に上段側サイディングＳの裏凹条７に設けた溝９を引っ掛けて固定し、順次上段側へとサイディングＳを取り付けて行くことにより、固定していく。
【０００６】
【特許文献１】
特開平１０−２０８８号公報
【０００７】
【発明が解決しようとする課題】
ところで、このような上記従来のサイディング用取付金具装置Ｄａにあっては、サイディングＳの他側縁部２の保持は、裏凹条７に胴縁金具１００の上向きのサイディング保持用爪１０４を嵌めているだけなので、爪であることから短くて剛性が弱く、折れ曲がり易いことから、他側縁部２の保持が不確実で不安定になっているという問題があった。
また、サイディングＳの一側縁部１の保持においても、下向きのサイディング保持用爪１０６を脆弱部１０５から下方へ指で折り曲げて仮止めしているだけなので、脆弱部１０５があることから剛性が弱く、また爪自身も短くて剛性が弱く、折れ曲がり易いことから、この一側縁部１の保持も不確実で不安定になっているという問題があった。
【０００８】
更に、サイディングＳの一側縁部１の保持においては、逐一、保持用爪１０６を脆弱部１０５から指で折り曲げなければならないので、作業がやりにくく、作業効率にも劣っているという問題があった。
【０００９】
本発明は上記の問題点に鑑みて為されたもので、サイディングの保持を確実にして安定化を図るとともに、取り付けも簡単に行なうことができるようにして作業効率の向上を図ったサイディング用取付金具装置を提供することを目的とする。
【００１０】
【課題を解決するための手段】
このような目的を達成するための本発明のサイディング用取付金具装置は、矩形板状に形成され、互いに平行な２辺を形成する一側縁部，他側縁部及び互いに平行な他の２辺を形成する一端部，他端部を備えるとともに、上記一側縁部にその表面を切り欠いて形成される表凹条及び裏凸条を有する一方、上記他側縁部にその裏面を切り欠いて形成される上記表凹条及び裏凸条が係合する形状の裏凹条及び表凸条を有したサイディングに設けられ、隣接するサイディングの一側縁部と他側縁部とを交互に係合させてサイディングを連設して壁に取り付けるためのサイディング用取付金具装置において、
上記一端部の裏面に取り付けられる一方金具及び上記他端部の裏面に取り付けられる他方金具を備え、
該一方金具及び他方金具を、夫々、上記一側縁部側の一端に形成され壁に取り付けられる取付片と、上記他側縁部側の他端に設けられ上記表凸条に対峙し該表凸条と共同して隣接するサイディングの裏凸条を挾持する挾持片とを備えて構成し、
上記他方金具に、その外側縁に突設され該他方金具が設けられた他端部と隣接するサイディングの一端部との間に充填される目地を受ける目地受突片を設けている。
【００１１】
このサイディング用取付金具装置を用いて、サイディングを取り付ける場合は、予め、サイディングに、一方金具を一端部の裏面に、他方金具を他端部の裏面に夫々止着しておく。そして、このサイディングを、例えば、上下に連設して横張りして行く場合で説明すると、先ず、壁の下側において、一方金具及び他方金具の取付片を壁に取り付けサイディングを止着する。次に、この下側のサイディングの上へ、隣接するサイディングの一側縁部と他側縁部とを係合させて、この上側のサイディングにおける一方金具及び他方金具の取付片を壁に取り付ける。
このようにして、サイディングを上方へ順次連設していく。
この際、上側のサイディングの他側縁部側の表凸条と挾持片との間の裏凹条に、下側のサイディングの一側縁部の裏凸条が挿入される。このため、上側のサイディングの他側縁部側は、表凸条と挾持片で下側のサイディングの裏凸条を挾持するので、上側のサイディングの他側縁部側が前後にぐらつきにくくなり、サイディングの保持が安定する。また、サイディングの保持が安定するので、上側のサイディングだけでなく、このサイディングの更に上位のサイディングの位置もずれにくくなり、サイディング全体の保持が安定する。
次に、他端部側に隣接するサイディングがある場合は、上記と同様に、下側のサイディングから順に取り付けていく。この場合、サイディングの一端部が目地受突片に沿うように取り付ける。最後に、他方金具が設けられた他端部と隣接するサイディングの一端部との間に目地を充填する。
この場合、目地を受ける目地受突片が他方金具に突設されているので、目地がサイディングの裏面に回ったりすることなく、他端部と一端部の間に目地が確実に充填される。
【００１２】
また、必要に応じ、上記一方金具を、サイディングの裏面に接合する接合板部及び該接合板部の両端縁から立ち上がる立ち上がり板部を有した断面チャンネル状に形成する一方、上記他方金具をサイディングの裏面に接合する接合板部及び上記の目地受突片を備えて構成し、該接合板部と目地受突片との間に段部を形成した構成としている。
このため、一方金具の立ち上がり板部，他方金具の立ち上がり板部及び段部により、一方金具及び他方金具の剛性が高まり、折れ曲がりにくくなり、サイディング全体の保持が安定する。また、一方金具及び他方金具の剛性が高まることから、サイディングの補強効果も奏される。
【００１３】
また、必要に応じ、上記一方金具及び他方金具の接合板部に該接合板部をサイディングに止着するためのビスが挿通される複数の止着孔を形成している。
一方金具及び他方金具をサイディングに取り付ける際は、ビスを止着孔に挿通してサイディングにねじ込めばよく、容易に一方金具及び他方金具をサイディングへ取り付けできる。
【００１４】
更に、必要に応じ、上記一方金具及び他方金具の取付片を、上記サイディングの裏面より所定間隔離間して形成している。
この取付片はサイディングの裏面より所定間隔離間して形成されているので、取付片を取り付けた際に、壁とサイディングの間に所定間隔だけ空間が形成されることになり、そのため、この空間により建物の断熱効果が向上させられる。
【００１５】
更にまた、必要に応じ、上記一方金具及び他方金具の取付片を、上記一側縁部よりも裏面方向外側に突出させている。
この際、取付片が一側縁部よりも裏面方向外側に突出させているので、サイディングの表面から取付孔が見えやすくなり、サイディングの取り付けが容易になる。
【００１６】
また、必要に応じ、上記一方金具及び他方金具の取付片に、該取付片を壁に取り付けるためのビスが挿通される複数の取付穴を形成している。
ビスを取付穴に挿通して壁にねじ込めばよく、容易にサイディングを壁へ取り付けできる。
【００１７】
また、必要に応じ、上記一方金具及び他方金具の挾持片に、該挾持片を上記サイディングの裏面より所定間隔離間させて支持する支持片を形成している。
この支持片により、挾持片が壁に対して支持されることになるので、サイディングの他側縁部側の壁に対する支持が確実になる。また、上記取付片によって形成される壁とサイディングの間の空間を、確実に保持することができる。
【００１８】
更に、必要に応じ、壁の下端部に設けられ、サイディングを支承する支承金具を設けている。
この壁の下端部に対応する位置のサイディングは、支承金具により他側縁部側を壁に所定間隔離間させて確実に固定されるので、ぐらつかなくなり、このサイディングの上位に連設されるサイディングの位置がずれにくくなる。
【００１９】
更にまた、必要に応じ、上記支承金具を、サイディングに取り付けられる外側金具と、壁に取り付けられ外側金具を受ける内側金具とを備えて構成している。
支承金具の取り付けは、外側金具をサイディングの所定の箇所に、内側金具を外側金具の位置に対応した箇所に取り付けるだけでよく、容易に支承金具の取り付けを行なうことができる。
【００２０】
そしてまた、上記外側金具に上記内側金具側に突設される差込部を形成し、上記内側金具の下端に上記外側金具の差込部が嵌合して差込まれる断面略Ｕ字状の受部を形成し、上記差込部を上記受部に差し込んでサイディングを支承している。
この支承金具でサイディングを支承する場合は、差込部を受部に差し込むだけで良く、容易に支承を行なうことができる。
【００２１】
また、必要に応じ、壁の上端部に設けられ、サイディングを吊下保持する吊下保持金具を設けている。
この壁の上端部に対応する位置のサイディングは、吊下保持金具により一側縁部側を壁に所定間隔離間して確実に固定することができる。
また、必要に応じ、上記吊下保持金具を、サイディングに取り付けられる外部金具と、壁に取り付けられ外部金具を受ける内部金具とを備えて構成している。
吊下保持金具の取り付けは、外部金具をサイディングの所定の箇所へ取り付けるとともに、内部金具を外部金具の取り付けられる箇所に対応した位置に取り付けるだけでよく、容易に吊下保持金具の取り付けを行なうことができる。
【００２２】
また、必要に応じ、上記外部金具の上端に断面コ字状のフック部を折曲形成し、上記内側金具に上記フック部が係止される係止部を形成し、上記フック部を上記係止部に係止してサイディングを吊下保持する構成としている。
これにより、外部金具でサイディングを吊下保持する際は、取り付け箇所が壁の上端であっても、フック部を係止部に係止してサイディングを吊下保持すればよく、容易にサイディングの取り付けを行なうことができる。
【００２３】
【発明の実施の形態】
以下、添付図面に基づいて、本発明の実施の形態に係るサイディング用取付金具装置について詳細に説明する。
図１乃至図１０には、サイディング用取付金具装置Ｄを示している。このサイディング用取付金具装置Ｄが取り付けるサイディングＳは、図１１にも示すように、矩形板状に形成され、互いに平行な２辺を形成する一側縁部１，他側縁部２及び互いに平行な他の２辺を形成する一端部３，他端部４を備えるとともに、一側縁部１にその表面を切り欠いて形成される表凹条５及び裏凸条６を有し、他側縁部２にその裏面を切り欠いて形成される上記表凹条５及び裏凸条６が係合する形状の裏凹条７及び表凸条８を有して構成されている。そして、このようなサイディングＳは、サイディング用取付金具装置Ｄを用いて、隣接するサイディングＳの一側縁部１と他側縁部２とを交互に係合させて連設して壁Ｋに取り付けられる。壁Ｋは、例えば、間柱にベニヤ板等を釘止めして設けられている。
【００２４】
実施の形態に係るサイディング用取付金具装置Ｄは、一方金具１０と、他方金具２０とを備えている。一方金具１０は、サイディングＳの一端部３の裏面に取り付けられ、他方金具２０はサイディングＳの他端部４の裏面に取り付けられている。
【００２５】
一方金具１０は、図１乃至図６に示すように、一枚の金属板を折曲して形成され、サイディングＳの裏面に接合する接合板部１１及び接合板部１１の両端縁から立ち上がる立ち上がり板部１２を有した断面チャンネル状に形成されている。
一方金具１０の接合板部１１には、接合板部１１をサイディングＳに止着するためのビスが挿通される複数の止着孔１３が形成されている。このため、サイディングＳに一方金具１０を止着する際は、止着孔１３にビスを挿通してサイディングＳにねじ込んで行なえばよく、容易に止着できる。また、立ち上がり板部１２が形成されているので、一方金具１０の剛性が高まり、折れ曲がりにくくなり、サイディングＳの保持効果や補強効果が向上させられる。
【００２６】
また、一方金具１０は、サイディングＳの一側縁部１側の一端に設けられる取付片１４と、サイディングＳの他側縁部２側の他端に設けられる挾持片１５とを備えている。
一方金具１０の取付片１４は、サイディングＳの裏面より所定間隔離間して形成されるとともに、サイディングＳの一側縁部１よりも裏面方向外側に突出させて形成されている。そして、この取付片１４には、取付片１４を壁Ｋに取り付けるためのビスが挿通される複数の取付穴１６が形成されている。
この取付片１４はサイディングＳの裏面より所定間隔離間して形成されているので、取付片１４を取り付けた際に、壁ＫとサイディングＳの間に所定間隔だけ空間が形成されることになり、そのため、この空間により建物の断熱効果が向上させられる。また、ビスを取付穴１６に挿通して壁Ｋにねじ込めばよく、容易にサイディングＳを壁Ｋへ取り付けすることができる。
【００２７】
一方金具１０の挾持片１５は、サイディングＳの他側縁部２側の他端に設けられるとともに、この一方金具１０が取り付けられるサイディングＳの表凸条８に対峙するように設けられている。この挾持片１５は、対峙する表凸条８と共同して下側に隣接するサイディングＳの裏凸条６を挾持する。
【００２８】
また、一方金具１０の挾持片１５には、この挾持片１５をサイディングＳの裏面より所定間隔離間させて壁Ｋに支持する支持片１７が形成されている。
この支持片１７により、挾持片１５が壁Ｋに対して支持されることになるので、サイディングＳの他側縁部２側の壁Ｋに対する支持が確実になる。また、上記取付片１４によって形成される壁ＫとサイディングＳの間の空間を、確実に保持することができる。
【００２９】
他方金具２０は、図１乃至図６に示すように、一枚の金属板を折曲して形成され、サイディングＳの裏面に接合する接合板部２１を備えている。この接合板部２１には、接合板部２１をサイディングＳに止着するためのビスが挿通される複数の止着孔２３が形成されている。
他方金具２０をサイディングＳの他端部４の裏面に止着する際は、止着孔２３にビスを挿通してサイディングＳにねじ込んで行なえばよく、容易に止着できる。
【００３０】
また、他方金具２０は、サイディングＳの一側縁部１側の一端に設けられる取付片２４と、サイディングＳの他側縁部２側の他端に設けられる挾持片２５とを備えている。
他方金具２０の取付片２４は、サイディングＳの裏面より所定間隔離間して形成されるとともに、この取付片２４を一側縁部１よりも裏面方向外側に突出させて形成されている。そして、この取付片２４には、取付片２４を壁Ｋに取り付けるためのビスが挿通される複数の取付穴２６が形成されている。
この取付片２４はサイディングＳの裏面より所定間隔離間して形成されているので、取付片２４を取り付けた際に、壁ＫとサイディングＳの間に所定間隔だけ空間が形成されることになり、そのため、この空間により建物の断熱効果が向上させられる。また、ビスを取付穴２６に挿通して壁Ｋにねじ込めばよく、容易にサイディングＳを壁Ｋへ取り付けることができる。
【００３１】
他方金具２０の挾持片２５は、サイディングＳの他側縁部２側の他端に設けられるとともに、この一方金具１０が取り付けられるサイディングＳの表凸条８に対峙するように設けられている。この挾持片２５は、対峙する表凸条８と共同して下側に隣接するサイディングＳの裏凸条６を挾持する。
また、他方金具２０の挾持片２５には、この挾持片２５をサイディングＳの裏面より所定間隔離間させて支持する支持片２７が形成されている。
この支持片２７により、挾持片２５が壁Ｋに対して支持されることになるので、サイディングＳの他側縁部２側の壁Ｋに対する支持が確実になる。また、上記取付片２４によって形成される壁ＫとサイディングＳの間の空間を、確実に保持することができる。
【００３２】
また、他方金具２０の接合板部２１の外側縁には、他方金具２０が設けられた他端部４と隣接するサイディングＳの一端部３との間に充填される目地を受ける目地受突片２８が一体に突設されている。この、接合板部２１と目地受突片２８との間には段部２９が形成されている。目地受突片２８の設けられていない別の外側縁には、立ち上がり板部２２が備えられている。
段部２９と立ち上がり板部２２とが備えられているので、他方金具２０の剛性が高まり、折れ曲がりにくくなり、サイディングＳの保持効果や補強効果が向上させられる。
【００３３】
更に、サイディング用取付金具装置Ｄは、壁Ｋの下端部に設けられ、サイディングＳをサイディングＳと壁Ｋの間に所定間隔離間させて支承する支承金具３０と、壁Ｋの上端部に設けられ、サイディングＳを吊下保持する吊下保持金具４０とを備えている。
【００３４】
支承金具３０は、図８及び図１０に示すように、サイディングＳの裏面に取り付けられる外側金具３１と、壁Ｋに取り付けられ外側金具３１を受ける内側金具３２とを備えて構成されている。
外側金具３１は、一枚の金属板を折曲して形成され、サイディングＳに止めるためのビスが挿通される孔が多数設けられる止め部３３と、内側金具３２側に突設される差込部３４とを備えている。
差込部３４は、外側金具３１の下端中央を切り起こして断面コ字状に折曲形成されている。
【００３５】
内側金具３２は、一枚の金属板を折曲して形成され、壁Ｋに止めるための止め部３５と、外側金具３１の差込部３４が嵌合して差込まれる受部３６が形成されている。内側金具３２の止め部３５は、壁Ｋに止めるためのビスが挿通される多数の孔と、止め部３５の中央を鋭角な三角形に切り欠いて壁Ｋ側に切り起こしてなる起立片３７とを備えている。
受部３６は、内側金具３２の下端に形成され、断面略Ｕ字状に折り曲げ形成されている。
支承金具３０でサイディングＳを支承する際は、差込部３４を受部３６に差し込んでサイディングＳを支承する。
支承金具３０は、外側金具３１と内側金具３２とを備えて構成されているので、最下側のサイディングＳの位置決めは、内側金具３２を壁Ｋの所定の箇所に取り付けて行なえば良くそれだけ支承金具３０を容易に取り付けることができる。
【００３６】
吊下保持金具４０は、図９及び図１０に示すように、サイディングＳに取り付けられる外部金具４１と、壁Ｋに取り付けられ外部金具４１を受ける内部金具４２とを備えて構成されている。
外部金具４１には、一枚の金属板を折曲して形成され、サイディングＳに止めるためのビスが挿通される孔が多数設けられる固定部４３と、内部金具４２に吊下するフック部４４が備えられている。フック部４４は、外部金具４１の上端に断面コ字状に折り曲げ形成されている。
【００３７】
内部金具４２は、一枚の金属板を折曲して形成され、サイディングＳに止めるためのビスが挿通される孔が多数設けられる固定部４５と、フック部４４が係止される係止部４６とを備えている。係止部４６は、内部金具４２の上端から外部金具４１側に折り曲げ形成し、フック部４４が係止される係止部４６が形成されている。
係止部４６は、内部金具４２の上部をサイディングＳ側にＬ字状に折曲して形成されるＬ字状部４７と、このＬ字状部４７の上端をサイディングＳ側の斜め下方へ折曲して形成される傾斜部４８とを備えている。
外部金具４１でサイディングＳを吊下保持する際は、フック部４４を係止部４６に係止してサイディングＳを吊下保持する。
【００３８】
また、この吊下保持金具４０の外部金具４１が取り付けられるサイディングＳには、上記とは短く形成され取付片１４，２４に対応する部位を支持片１７，２７と同様に形成した一側金具１０ａ及び他側金具２０ａが備えられている。
即ち、一側金具１０ａには、他側縁部２からサイディングＳの中間までの長さの接合板部１１と、表凸条８と対面する挾持片１５とが設けられている。この一側金具１０ａの接合板部１１には、接合板部１１の両端縁から立ち上がる立ち上がり板部が形成されている。そして、接合板部１１のサイディングＳの一側縁部１側と挾持片１５には、夫々、接合板部１１のサイディングＳの一側縁部１側と挾持片１５とをサイディングＳの裏面より所定間隔離間させて支持する支持片１７を形成している。
【００３９】
また、他方金具２０ａには、他側縁部２からサイディングＳの中間までの長さの接合板部２１と、表凸条８と対面する挾持片２５とが設けられている。この他方金具２０ａの接合板部２１には、他方金具２０が設けられた他端部４と隣接するサイディングＳの一端部３との間に充填される目地を受ける目地受突片２８が一体に突設されている。そして、接合板部２１のサイディングＳの一側縁部１側と挾持片２５には、夫々、接合板部２１のサイディングＳの一側縁部１側と挾持片２５とをサイディングＳの裏面より所定間隔離間させて支持する支持片２７を形成している。
【００４０】
従って、このサイディング用取付金具装置Ｄを用いて、サイディングＳを取り付ける場合は以下のようになる。ここでは、サイディングＳを上下に連設する所謂横張りの場合について説明する。
【００４１】
先ず、予め、サイディングＳの大きさを壁Ｋの大きさに合わせて切断しておくとともに、図１，図４及び図５に示すように、サイディングＳに、一方金具１０を一端部３の裏面に、他方金具２０を他端部４の裏面に夫々止着しておく。また、サイディングＳを上下に連設して横張りして行く場合は、壁Ｋの下端部に内側金具３２を、最下側のサイディングＳの他側縁部２側の裏面に外側金具３１を、壁Ｋの上端部に内部金具４２を、最上側のサイディングＳの一側縁部１側の裏面に外部金具４１を、それぞれビスで止めておく。
【００４２】
支承金具３０の取り付けは、外側金具３１を最下側のサイディングＳの他側縁部２側の裏面に、内側金具３２を壁Ｋの下端部に取り付けるだけでよく、容易に支承金具３０の取り付けを行なうことができる。
また、吊下保持金具４０の取り付けは、外部金具４１を最上側のサイディングＳの一側縁部１側の裏面に、内部金具４２を壁Ｋの上端に取り付けるだけで良く容易に吊下保持金具４０の取り付けを行なうことができる。
【００４３】
そして、先ず、最下側のサイディングＳの一端部３側を壁Ｋの左端にあわせて、図１及び図１０に示すように、最下側のサイディングＳの裏面に取り付けられた外側金具３１の差込部３４を、壁Ｋの内側金具３２の受部３６に係合し、取付片１４，２４の取付穴１６，２６にビスを挿通して壁ＫにサイディングＳを止着する。
この最下側のサイディングＳは、支承金具３０により他側縁部２側を壁Ｋに所定間隔離間して確実に固定されるので、ぐらつかなくなり、このサイディングＳの上位に連設されるサイディングＳの位置がずれにくくなる。
また、この最下側のサイディングＳを支承する場合は、差込部３４を受部３６に差し込むだけで良く、容易に支承することができる。
【００４４】
次に、この最下側のサイディングＳの上へ、隣接するサイディングＳの一側縁部１と他側縁部２とを係合させて、取付片１４，２４の取付穴１６，２６にビスを挿通してサイディングＳを取り付け、サイディングＳを上方へ順次連設していく。この際、取付片１４，２４が一側縁部１よりも裏面方向外側に突出させているので、サイディングＳの表面から取付穴１６，２６が見えやすくなり、サイディングＳの取り付けが容易になる。
【００４５】
また、このサイディングＳの一側縁部１と他側縁部２との係合においては、上側のサイディングＳの他側縁部２側の表凸条８と挾持片１５，２５との間の裏凹条７に、下側のサイディングＳの一側縁部１の裏凸条６を挿入する。このため、上側のサイディングＳの他側縁部２側は、表凸条８と挾持片１５，２５で下側のサイディングＳの裏凸条６を挾持するので、上側のサイディングＳの他側縁部２側が前後にぐらつきにくくなり、サイディングＳの保持が安定する。また、サイディングＳの保持が安定するので、上側のサイディングＳだけでなく、このサイディングＳの更に上位のサイディングＳの位置もずれにくくなり、サイディングＳ全体の保持が安定する。
【００４６】
そして、最上側のサイディングＳを取り付ける場合は、最上側のサイディングＳの他側縁部２をこのサイディングＳの下側の一側縁部１に係合し、一側縁部１側に備えられた外部金具４１のフック部４４を、壁Ｋの上端部に設けられた内部金具４２の傾斜部４８に当接させて、サイディングＳの一側縁部１側を壁Ｋ側に押し込む。
外部金具４１及び内部金具４２は、一枚の金属板を折曲して形成されているので、フック部４４とＬ字状部４７はある程度弾性を有している。サイディングＳの一側縁部１側を壁Ｋ側に押し込むと、フック部４４は上方へ、Ｌ字状部４７は壁Ｋ側に反っていく。フック部４４の先端が傾斜部４８の上端へ至ると、フック部４４とＬ字状部４７が反発して、外部金具４１と内部金具４２が嵌合する。このため、フック部４４が傾斜部４８の上端に吊下保持される。
これにより、壁Ｋの上端であってもサイディングＳが取り付けられるだけでなく、最上側のサイディングＳの一側縁部１を壁Ｋ側に押し込んでフック部４４を係止部４６に係止するだけでこのサイディングＳを吊下保持できるので、最上側のサイディングＳも壁Ｋに容易に取り付けることができる。
【００４７】
次に、他端部４側に隣接するサイディングＳがある場合は、上記のサイディングＳの取り付け方と同様にして、最下側のサイディングＳから順に取り付けていく。この場合、サイディングＳの一端部３が目地受突片２８に沿うように取り付ける。
最後に、図７に示すように、他方金具２０が設けられた他端部４と隣接するサイディングＳの一端部３との間に目地５０を充填する。
目地５０を受ける目地受突片２８が他方金具２０に突設されているので、目地５０がサイディングＳの裏面に回ったりすることなく、他端部４と一端部３の間に目地５０を確実に充填することができる。
【００４８】
尚、本発明の実施の形態に係るサイディング用取付金具装置Ｄは、サイディングＳを上下に連設した横張りの場合に適用したが、これに限定されるものでなく、左右に連設した縦張りに適用してもよく、この場合であっても上記の作用，効果を発揮できる。
【００４９】
【発明の効果】
以上説明したように、本発明のサイディング用取付金具装置によれば、一端部の裏面に取り付けられる一方金具及び他端部の裏面に取り付けられる他方金具を備え、一方金具及び他方金具を、夫々、一側縁部側の一端に形成され壁に取り付けられる取付片と、他側縁部側の他端に設けられ表凸条に対峙し表凸条と共同して隣接するサイディングの裏凸条を挾持する挾持片とを備えて構成し、他方金具に、その外側縁に突設され他方金具が設けられた他端部と隣接するサイディングの一端部との間に充填される目地を受ける目地受突片を設けたので、上側のサイディングの他側縁部側は、表凸条と挾持片で下側のサイディングの裏凸条を挾持することから、上側のサイディングの他側縁部側がぐらつかなくなり、上側のサイディングよりも更に上位のサイディングの位置もずれにくくなり、サイディングの保持を確実にすることができる。
また、目地受突片により、目地がサイディングの裏面に回ることがなくなり、他端部と一端部の間に目地を確実に充填することができる。
【００５０】
また、一方金具を、サイディングの裏面に接合する接合板部及び接合板部の両端縁から立ち上がる立ち上がり板部を有した断面チャンネル状に形成する一方、他方金具をサイディングの裏面に接合する接合板部及び目地受突片を備えて構成し、接合板部と目地受突片との間に段部を形成した場合には、一方金具及び他方金具の剛性が高まり、折れ曲がりにくくなり、サイディングの保持効果や補強効果を向上させることができる。
【００５１】
また、一方金具及び他方金具の接合板部に接合板部をサイディングに止着するためのビスが挿通される複数の止着孔を形成した場合には、止着孔にビスを挿通してサイディングにねじ込んで行なえばよく、容易に止着できる。
更に、一方金具及び他方金具の取付片を、サイディングの裏面より所定間隔離間して形成した場合には、壁とサイディングの間に所定間隔だけ空間が形成されることになり、そのため、この空間により建物の断熱効果を向上させることができる。
【００５２】
更にまた、一方金具及び他方金具の取付片を、一側縁部よりも裏面方向外側に突出させた場合には、サイディングの表面から取付孔が見えやすくなり、サイディングの取り付けを容易に行なうことができる。
また、一方金具及び他方金具の取付片に、取付片を壁に取り付けるためのビスが挿通される複数の取付穴を形成した場合には、ビスを取付穴に挿通して壁にねじ込めばよく、容易にサイディングを取り付けることができる。
【００５３】
そしてまた、一方金具及び他方金具の挾持片に、挾持片をサイディングの裏面より所定間隔離間させて支持する支持片を形成した場合には、挾持片が壁に対して支持されることになるので、サイディングの他側縁部側の壁に対する支持が確実になる。また、上記取付片によって形成される壁とサイディングの間の空間を、確実に保持することができる。
【００５４】
また、壁の下端部に設けられ、サイディングを支承する支承金具を設けた場合には、支承金具により他側縁部側を壁に所定間隔離間して確実に固定されるので、ぐらつかなくなり、このサイディングの上位に連設されるサイディングの位置もずれにくくなり、サイディングの保持を確実にすることができる。
また、支承金具を、サイディングに取り付けられる外側金具と、壁に取り付けられ外側金具を受ける内側金具とを備えて構成した場合には、容易に支承金具の取り付けを行なうことができる。
更に、外側金具に内側金具側に突設される差込部を形成し、内側金具の下端に外側金具の差込部が嵌合して差込まれる断面略Ｕ字状の受部を形成し、差込部を受部に差し込んでサイディングを支承した場合には、容易に支承を行なうことができる。
【００５５】
更にまた、壁の上端部に設けられ、サイディングを吊下保持する吊下保持金具を設けた場合には、吊下保持金具により一側縁部側を壁に所定間隔離間して確実に固定することができる。
また、吊下保持金具を、サイディングに取り付けられる外部金具と、壁に取り付けられ外部金具を受ける内部金具とを備えて構成した場合には、吊下保持金具は、外部金具と内部金具とを備えて構成されているので、容易に吊下保持金具の取り付けを行なうことができる。
【００５６】
また、外部金具の上端に断面コ字状のフック部を折曲形成し、内側金具にフック部が係止される係止部を形成し、フック部を係止部に係止してサイディングを吊下保持した場合には、サイディングの一側縁部側を壁側に押し込むだけでサイディングを吊下保持できるので、容易にサイディングの取り付けを行なうことができる。
【図面の簡単な説明】
【図１】本発明の実施の形態に係るサイディング用取付金具装置をサイディングを壁に取り付けた状態で示す透過斜視図である。
【図２】本発明の実施の形態に係るサイディング用取付金具装置の一方金具を示す斜視図である。
【図３】本発明の実施の形態に係るサイディング用取付金具装置の他方金具を示す斜視図である。
【図４】本発明の実施の形態に係るサイディング用取付金具装置のうち、一方金具と他方金具をサイディングに止着した状態で示す透過斜視図である。
【図５】本発明の実施の形態に係るサイディング用取付金具装置のうち、一方金具と他方金具をサイディングに止着した状態で示す斜視図である。
【図６】本発明の実施の形態に係るサイディング用取付金具装置を用いてサイディングを壁に取り付けた状態であって、隣接するサイディングの係合箇所を拡大して示す側面図である。
【図７】本発明の実施の形態に係るサイディング用取付金具装置を用いてサイディングを壁に取り付けた状態を示す横断面図である。
【図８】本発明の実施の形態に係るサイディング用取付金具装置の支承金具を示す斜視図である。
【図９】本発明の実施の形態に係るサイディング用取付金具装置の吊下保持金具を示す斜視図である。
【図１０】本発明の実施の形態に係るサイディング用取付金具装置の支承金具及び吊下保持金具を示す図であって、サイディングを壁に取り付けた状態で示す側面図である。
【図１１】サイディングの一例を示す図である。
【図１２】従来のサイディング用取付金具装置を示す図である。
【図１３】従来のサイディング用取付金具装置を示す縦断面図である。
【符号の説明】
Ｄ  サイディング用取付金具装置
Ｓ  サイディング
Ｋ  壁
１  一側縁部
２  他側縁部
３  一端部
４  他端部
５  表凹条
６  裏凸条
７  裏凹条
８  表凸条
１０  一方金具
２０  他方金具
１１，２１  接合板部
１２，２２  立ち上がり板部
１３，２３  止着孔
１４，２４  取付片
１５，２５  挾持片
１６，２６  取付穴
１７，２７  支持片
２８  目地受突片
２９  段部
３０  支承金具
３１  外側金具
３２  内側金具
３４  差込部
３６  受部
４０  吊下保持金具
４１  外部金具
４２  内部金具
４４  フック部
４６  係止部
５０  目地
【図１】
2004332394.tif 000003
【図２】
2004332394.tif 000004
【図３】
2004332394.tif 000005
【図４】
2004332394.tif 000006
【図５】
2004332394.tif 000007
【図６】
2004332394.tif 000008
【図７】
2004332394.tif 000009
【図８】
2004332394.tif 000010
【図９】
2004332394.tif 000011
【図１０】
2004332394.tif 000012
【図１１】
2004332394.tif 000013
【図１２】
2004332394.tif 000014
【図１３】
2004332394.tif 000015